(57)【要約】  【課題】従来、冷却システムの劣化や冷媒漏れ等により冷却器の霜が付かなかった時でも、正常な冷却サイクルの時と同じ霜取り制御を行うので、冷蔵庫庫内が霜取り制御により温度上昇し食品に悪影響を与えるという課題を有していた。  【解決手段】霜取りヒータの通電時間カウンタ２０と、通電時間判定手段２１、温度判定手段の第１温度設定２３と、コンプレッサの停止時間を積算する停止カウンタ１９と、停止時間判定手段２２を備え、通電カウンタ２０の時間が設定時間以下で、かつ、停止カウンタ１９の時間が設定時間以下であれば、冷却システムの劣化や冷媒の漏れ等が発生し冷却性能が落ちていると判断し、次の霜取り制御の温度判定手段の設定温度を下げる制御とすることで冷蔵庫庫内の温度上昇を抑え食品に悪影響を与えない制御にすることができる。【選択図】図１
2006329551.tif 000002
【特許請求の範囲】
【請求項１】
コンプレッサを運転させるコンプレッサ運転手段と、前記コンプレッサの動作時間を積算する運転タイマと、前記運転タイマの積算時間を設定時間以上であるかを判定するコンプレッサ動作時間判定手段と、冷凍室の温度を検知する庫内温度検知手段と、前記庫内温度検知手段で検知した温度が設定温度以上であるかを判定する庫内温度判定手段と、前記コンプレッサの停止時間を積算する停止カウンタと、前記停止カウンタが設定時間以上であるかを判定する停止時間判定手段と、前記コンプレッサ動作時間判定手段で前記運転タイマの積算時間が設定時間以上と判断した後に霜取りヒータを駆動する霜取りヒータ駆動手段と、前記霜取りヒータの通電時間をカウントする通電時間カウンタと、冷却器の温度を検知する冷却器温度検知手段と、前記冷却器温度検知手段で検知した温度が設定温度以上であるかを判定する温度判定手段と、前記通電時間カウンタが設定時間以上であるかを判定する通電時間判定手段を備え、前記通電時間判定手段で前記霜取りヒータの通電時間をカウントする前記通電時間カウンタの時間が設定時間以下であり、かつ、前記コンプレッサの停止時間を積算する前記停止カウンタの積算時間が設定時間以下であれば、次回の温度判定手段の判定温度を下げる冷蔵庫の霜取り制御装置。
【請求項２】
コンプレッサを運転させるコンプレッサ運転手段と、前記コンプレッサの動作時間を積算する運転タイマと、前記運転タイマの積算時間を設定時間以上であるかを判定するコンプレッサ動作時間判定手段と、冷凍室の温度を検知する庫内温度検知手段と、前記庫内温度検知手段で検知した温度が設定温度以上であるかを判定する庫内温度判定手段と、前記コンプレッサの停止時間を積算する停止カウンタと、前記停止カウンタが設定時間以上であるかを判定する停止時間判定手段と、前記コンプレッサ動作時間判定手段で前記運転タイマの積算時間が設定時間以上と判断した後に霜取りヒータを駆動する霜取りヒータ駆動手段と、前記霜取りヒータの通電時間をカウントする通電時間カウンタと、冷却器の温度を検知する冷却器温度検知手段と、前記冷却器温度検知手段で検知した温度が設定温度以上であるかを判定する温度判定手段と、前記通電時間カウンタが設定時間以上であるかを判定する通電時間判定手段を備え、前記通電時間判定手段で前記霜取りヒータの通電時間をカウントする前記通電時間カウンタの時間が設定時間以下であり、かつ、前記コンプレッサの停止時間を積算する前記停止カウンタの積算時間が設定時間以下であれば、次回の霜取り制御を中止する制御とした冷蔵庫の霜取り制御装置。
【請求項３】
前記通電時間判定手段で前記霜取りヒータの通電時間をカウントする前記通電時間カウンタの時間が設定時間以下であり、かつ、前記コンプレッサの停止時間を積算する前記停止カウンタの積算時間が設定時間以下であれば、前記庫内温度判定手段の設定温度を下げる制御とした請求項１または２に記載の冷蔵庫の霜取り制御装置。
【請求項４】
第１ドア開閉検知手段とドア開閉判定手段を備え、霜取り制御前のコンプレッサ運転中にドア開閉があれば、前記庫内温度判定手段の設定温度を下げる制御とした請求項１または２に記載の冷蔵庫の霜取り制御装置。
【請求項５】
第２ドア開閉検知手段とドア開放時間判定手段を備え、霜取り制御前のコンプレッサ運転中のドア開放時間が長ければ、前記庫内温度判定手段の設定温度を下げる制御とした請求項１または２に記載の冷蔵庫の霜取り制御装置。
【請求項６】
外気温度検知手段と外気温度判定手段を備え、霜取り制御後の外気温度が設定温度以上であれば、前記庫内温度判定手段の設定温度を下げる制御とした請求項１または２に記載の冷蔵庫の霜取り制御装置。
【請求項７】
霜取り短時間カウンタと霜取り短時間カウンタ判定手段を備え、霜取り制御が連続して短時間で終了すれば、前記庫内温度判定手段の設定温度を下げる制御とした請求項１または２に記載の冷蔵庫の霜取り制御装置。
【発明の詳細な説明】
【技術分野】
【０００１】
本発明は冷蔵庫の霜取り制御に関するものである。
【背景技術】
【０００２】
従来、冷蔵庫の霜取り制御は、コンプレッサと冷却器により各室を冷却し、コンプレッサの運転が停止した後に霜取りヒータが通電し冷却器に付着した霜を取り除くものである（例えば、特許文献１参照）。
【０００３】
以下、図面を参照しながら上記従来の冷蔵庫の霜取り制御を説明する。
【０００４】
図３は、従来の冷蔵庫の霜取り制御装置のブロック図である。図４は、従来の冷蔵庫の霜取り制御装置のフローチャートである。図３に示すように、冷蔵庫本体１にある冷凍室２は、断熱壁３と冷凍室ドア４で区画形成されている。冷凍室ドア４は、ヒンジ５により冷蔵庫本体１に固定されている。６はコンプレッサで７は冷却器である。８は霜取りヒータで９は冷却器７の温度を感知する冷却器温度検知器である。１０は冷凍室の温度を感知する庫内温度検知器である。１１はコンプレッサ６を駆動するコンプレッサ運転手段であり、１２は前記コンプレッサの運転時間を積算する運転タイマである。１３は庫内温度検知器１０で感知した冷凍室の温度を検知する冷凍室温度検知手段であり、１４は冷凍室温度検知手段１３で検知した温度が設定温度以上（例えば−２０℃）であるかを判定する庫内温度判定手段である。１５はコンプレッサ動作時間判定手段であり、運転タイマ１２の時間が設定時間（例えば８時間）になればタイムアップする。１６は霜取りヒータ８を駆動する霜取りヒータ駆動手段であり、１７は冷却器温度検知器９で感知した温度を検知する冷却器温度検知手段である。１８は冷却器温度検知手段１７で検知した温度が設定温度（例えば１０℃）以上かどうかを判定する温度判定手段から構成されている。
【０００５】
以上のように構成された冷蔵庫の霜取り制御装置について、以下その動作を説明する。
【０００６】
まず、ステップ１でコンプレッサ運転手段１１がコンプレッサ６を駆動し、ステップ２で運転タイマ１２がスタートする。次に、ステップ３で庫内温度判定手段１４が冷凍室温度検知手段１３の検知した温度が設定温度（例えば−２０℃）以下かどうかを判断し、設定温度以下になればステップ４に進みコンプレッサ運転手段１１がコンプレッサ６を停止し、ステップ５で運転タイマ１２をストップしステップ３に戻る。ステップ３で庫内温度判定手段１４が冷凍室温度検知手段１３の検知した温度が設定温度（例えば−２０℃）以上であればステップ６に進みコンプレッサ動作時間判定手段１５が運転タイマ１２のタイムアップ（例えば８時間）を判断する。タイムアップすればステップ７に進みタイムアップしなければステップ２に戻る。ステップ７でコンプレッサ運転手段１１によりコンプレッサ６が停止となり冷却サイクルが終了する。ステップ８で霜取りヒータ駆動手段１６が霜取りヒータ８を通電し霜取り制御に入る。次に、ステップ９では温度判定手段１８冷却器温度検知手段１７の検知した温度が設定温度（例えば１０℃）以上になれば、ステップ１０に進み霜取りヒータ駆動手段１６が霜取りヒータ８の通電をストップし、ステップ１に戻る。冷蔵庫はこの冷凍サイクルと霜取り制御を繰り返し行っている。
【特許文献１】特公平２−５３７０７号公報
【発明の開示】
【発明が解決しようとする課題】
【０００７】
しかしながら、上記従来の構成では、冷却システムの劣化や冷媒漏れ等により冷却器の霜が付かなかった時でも、正常な冷却サイクルの時と同じ霜取り制御を行ってしまうので、冷蔵庫庫内が霜取り制御により温度上昇し食品に悪影響を与えるという課題を有していた。
【０００８】
本発明は上記従来の課題を解決するもので、冷却システムの劣化や冷媒漏れ等により冷却器の霜が付かず、かつ、コンプレッサの停止時間が短い時には、霜取り制御の温度判定手段の設定温度を下げ冷蔵庫庫内の温度上昇を抑え食品に悪影響を与えない冷蔵庫を提供することを目的とする。
【課題を解決するための手段】
【０００９】
上記従来の課題を解決するために、本発明の冷蔵庫の霜取り制御装置は、霜取り制御時間が短時間（例えば１０分）以下で終了すれば冷却器に付いた霜が極端に少ないと判断し、かつ、コンプレッサの停止時間が短時間（例えば１時間）以下であれば、次の霜取り制御の温度判定手段の設定温度を下げる（例えば０℃）制御としたものである。
【００１０】
これによって、冷却システムの劣化や冷媒漏れ等により冷却器の霜が付かなかった時には、霜取り制御の温度判定手段の設定温度を下げるので冷蔵庫庫内の温度上昇を抑え食品に悪影響を与えない冷蔵庫を提供することとなる。
【発明の効果】
【００１１】
本発明の冷蔵庫の霜取り制御装置は、霜取り制御時間が短時間（例えば１０分）以下で終了し、かつ、コンプレッサの停止時間が短時間（例えば１時間）以下であれば、冷却システムの劣化や冷媒の漏れ等が発生して前記冷却器に付いた霜が極端に少ないと判断し、次の霜取り制御の温度判定手段の設定温度を下げ冷蔵庫庫内の温度上昇を抑え食品に悪影響を与えない制御にすることができる。
【発明を実施するための最良の形態】
【００１２】
請求項１に記載の発明は、コンプレッサを運転させるコンプレッサ運転手段と、前記コンプレッサの動作時間を積算する運転タイマと、前記運転タイマの積算時間を設定時間以上であるかを判定するコンプレッサ動作時間判定手段と、冷凍室の温度を検知する庫内温度検知手段と、前記庫内温度検知手段で検知した温度が設定温度以上であるかを判定する庫内温度判定手段と、前記コンプレッサの停止時間を積算する停止カウンタと、前記停止カウンタが設定時間以上であるかを判定する停止時間判定手段と、前記コンプレッサ動作時間判定手段で前記運転タイマの積算時間が設定時間以上と判断した後に霜取りヒータを駆動する霜取りヒータ駆動手段と、前記霜取りヒータの通電時間をカウントする通電時間カウンタと、冷却器の温度を検知する冷却器温度検知手段と、前記冷却器温度検知手段で検知した温度が設定温度以上であるかを判定する温度判定手段と、前記通電時間カウンタが設定時間以上であるかを判定する通電時間判定手段を備え、前記通電時間判定手段で前記霜取りヒータの通電時間をカウントする前記通電時間カウンタの時間が設定時間以下であり、かつ、前記コンプレッサの停止時間を積算する前記停止カウンタの積算時間が設定時間以下であれば、次回の温度判定手段の判定温度を下げるものであり、冷蔵庫庫内の温度上昇を抑え食品に悪影響を与えない制御にすることができる。
【００１３】
請求項２に記載の発明は、コンプレッサを運転させるコンプレッサ運転手段と、前記コンプレッサの動作時間を積算する運転タイマと、前記運転タイマの積算時間を設定時間以上であるかを判定するコンプレッサ動作時間判定手段と、冷凍室の温度を検知する庫内温度検知手段と、前記庫内温度検知手段で検知した温度が設定温度以上であるかを判定する庫内温度判定手段と、前記コンプレッサの停止時間を積算する停止カウンタと、前記停止カウンタが設定時間以上であるかを判定する停止時間判定手段と、前記コンプレッサ動作時間判定手段で前記運転タイマの積算時間が設定時間以上と判断した後に霜取りヒータを駆動する霜取りヒータ駆動手段と、前記霜取りヒータの通電時間をカウントする通電時間カウンタと、冷却器の温度を検知する冷却器温度検知手段と、前記冷却器温度検知手段で検知した温度が設定温度以上であるかを判定する温度判定手段と、前記通電時間カウンタが設定時間以上であるかを判定する通電時間判定手段を備え、前記通電時間判定手段で前記霜取りヒータの通電時間をカウントする前記通電時間カウンタの時間が設定時間以下であり、かつ、前記コンプレッサの停止時間を積算する前記停止カウンタの積算時間が設定時間以下であれば、次回の霜取り制御を中止する制御としたものであり、冷蔵庫庫内の温度上昇を抑え食品に悪影響を与えない制御にすることができる。
【００１４】
請求項３に記載の発明は、請求項１または２に記載の発明において、前記通電時間判定手段で前記霜取りヒータの通電時間をカウントする前記通電時間カウンタの時間が設定時間以下であり、かつ、前記コンプレッサの停止時間を積算する前記停止カウンタの積算時間が設定時間以下であれば、前記庫内温度判定手段の設定温度を下げる制御としたものであり、冷蔵庫庫内の温度上昇を抑え食品に悪影響を与えない制御にすることができる。
【００１５】
請求項４に記載の発明は、請求項１または２に記載の発明において、第１ドア開閉検知手段とドア開閉判定手段を備え、霜取り制御前のコンプレッサ運転中にドア開閉があれば、前記庫内温度判定手段の設定温度を下げる制御としたものであり、冷蔵庫庫内の温度上昇を抑え食品に悪影響を与えない制御にすることができる。
【００１６】
請求項５に記載の発明は、請求項１または２に記載の発明において、第２ドア開閉検知手段とドア開放時間判定手段を備え、霜取り制御前のコンプレッサ運転中のドア開放時間が長ければ、前記庫内温度判定手段の設定温度を下げる制御としたものであり、冷蔵庫庫内の温度上昇を抑え食品に悪影響を与えない制御にすることができる。
【００１７】
請求項６に記載の発明は、請求項１または２に記載の発明において、外気温度検知手段と外気温度判定手段を備え、霜取り制御後の外気温度が設定温度以上であれば、前記庫内温度判定手段の設定温度を下げる制御としたものであり、冷蔵庫庫内の温度上昇を抑え食品に悪影響を与えない制御にすることができる。
【００１８】
請求項７に記載の発明は、請求項１または２に記載の発明において、霜取り短時間カウンタと霜取り短時間カウンタ判定手段を備え、霜取り制御が連続して短時間で終了すれば、前記庫内温度判定手段の設定温度を下げる制御としたものであり、冷蔵庫庫内の温度上昇を抑え食品に悪影響を与えない制御にすることができる。
【００１９】
以下冷蔵庫の実施の形態について、図面を参照しながら説明するが、従来例または先に説明した実施の形態と同一構成について同一符号を付して、その詳細な説明は省略する。なお、この実施の形態によってこの発明が限定されるものではない。
【００２０】
（実施の形態１）
図１は、本発明の実施の形態１による冷蔵庫の霜取り制御装置のブロック図である。図２は、本発明の実施の形態１における冷蔵庫の霜取り制御装置のフローチャートである。
【００２１】
図１において、停止カウンタ１９はコンプレッサの停止時間を積算するものであり、通電時間カウンタ２０は霜取りヒータの通電時間をカウントするものであり、通電時間判定手段２１は通電時間カウンタ２０が設定時間以上（例えば１０分）であるかを判定するものであり、停止時間判定手段２２は停止カウンタ２０が設定時間以上（例えば１時間）であるかを判定するものであり、温度判定手段の第１温度設定２３は温度判定手段１８の温度設定を低くする（例えば０℃）ものである。
【００２２】
以上にように構成された冷蔵庫の霜取り制御装置について、以下その動作、作用を説明する。
【００２３】
まず、ステップ１からステップ５まで従来通りである。つぎに、ステップ１０１で停止カウンタ２０がスタートし、ステップ３に戻る。ステップ３で庫内温度判定手段１４が冷凍室温度検知手段１３の検知した温度が設定温度（例えば−２０℃）以上であればステップ１０２に進み停止カウンタ２０を停止しステップ６に進む。ステップ６からステップ８まで従来通りである。次のステップ１０３で、霜取りヒータ通電時間カウンタ２０がスタートしステップ９に進む。ステップ９とステップ１０は従来通りで、次のステップ１０４で通電時間カウンタ２０が設定時間以上（例えば１０分）であるかを通電時間判定手段２１が判定し、設定時間以下であればステップ１０５に進み停止カウンタ２０が設定時間以上（例えば１時間）であるかを停止時間判定手段２２が判定し、設定時間以下であれば温度判定手段１８の設定温度を下げて（例えば０℃）ステップ１に戻る。また、ステップ１０４で設定時間以上の時とステップ１０５で設定時間以上の時はステップ１０７に進み温度判定手段１８の設定温度を維持し（例えば１０℃）ステップ１に戻る。
【００２４】
以上のように、本実施の形態においては、霜取り制御時間が短時間（例えば１０分）以下で終了し、かつ、前記停止時間判定手段が前記停止カウンタの時間が設定時間（例えば１時間）以下と判断すれば、冷却システムの劣化や冷媒の漏れ等が発生し冷却性能が落ちていると判断し、次の霜取り制御の温度判定手段の設定温度を下げる（例えば０℃）制御とすることで冷蔵庫庫内の温度上昇を抑え食品に悪影響を与えない制御にすることができる。
【００２５】
（実施の形態２）
図５は、本発明の実施の形態２による冷蔵庫の霜取り制御装置のブロック図である。図６は、本発明の実施の形態２における冷蔵庫の霜取り制御装置のフローチャートである。以下その動作、作用を説明する。
【００２６】
まず、ステップ１からステップ１０４まで実施の形態１の通りである。次のステップ１０５で停止カウンタ２０が設定時間以上（例えば１時間）であるかを停止時間判定手段２２が判定し、設定時間以下であればステップ２０１でコンプレッサ運転手段１１がコンプレッサ６を駆動し、ステップ２０２で運転タイマ１２がスタートする。次に、ステップ２０３で庫内温度判定手段１４が冷凍室温度検知手段１３の検知した温度が設定温度（例えば−２０℃）以下かどうかを判断し、設定温度以下になればステップ２０４に進みコンプレッサ運転手段１１がコンプレッサ６を停止し、ステップ２０５で運転タイマ１２をストップしステップ２０３に戻る。ステップ２０３で庫内温度判定手段１４が冷凍室温度検知手段１３の検知した温度が設定温度（例えば−２０℃）以上であればステップ２０６に進みコンプレッサ動作時間判定手段１５が運転タイマ１２のタイムアップ（例えば８時間）を判断する。タイムアップすればステップ１戻る。また、ステップ１０４で設定時間以上の時とステップ１０５で設定時間以上の時はステップ１に戻る。
【００２７】
以上のように、本実施の形態においては、前記通電時間判定手段が前記通電時間カウンタの時間が設定時間（例えば１０分）以下と判断し、かつ、前記停止時間判定手段が前記停止カウンタの時間が設定時間（例えば１時間）以下と判断すれば、冷却システムの劣化や冷媒の漏れ等が発生し冷却性能が落ちていると判断し、次の霜取り制御を中止する制御とすることで冷蔵庫庫内の温度上昇を抑え食品に悪影響を与えない制御にすることができる。
【００２８】
（実施の形態３）
図７は、本発明の実施の形態３による冷蔵庫の霜取り制御装置のブロック図である。図８は、本発明の実施の形態３における冷蔵庫の霜取り制御装置のフローチャートである。
【００２９】
図７において、庫内温度判定手段の第１温度設定２４は庫内温度判定手段１４の温度設定を下げる（例えば−２２℃）ものである。
【００３０】
以上にように構成された冷蔵庫の霜取り制御装置について、以下その動作、作用を説明する。
【００３１】
まず、ステップ１からステップ１０６までは実施の形態１の通りである。ステップ１０６の次にステップ３０１に進み、前記庫内温度判定手段の第１温度設定２４が庫内温度判定手段１４の設定温度を下げて（例えば−２２℃）ステップ１に戻る。また、ステップ１０４で設定時間以上の時とステップ１０５で設定時間以上の時はステップ１０７に進み温度判定手段１８の設定温度を維持し（例えば１０℃）、次のステップス３０２で庫内温度判定手段１４の設定温度を維持し（例えば−２０℃）ステップ１に戻る。
【００３２】
以上のように、本実施の形態においては、前記通電時間判定手段が前記通電時間カウンタの時間が設定時間（例えば１０分）以下と判断し、かつ、前記停止時間判定手段が前記停止カウンタの時間が設定時間（例えば１時間）以下と判断すれば、冷却システムの劣化や冷媒の漏れ等が発生し冷却性能が落ちていると判断し、次の霜取り制御の温度判定手段の設定温度を下げる（例えば０℃）とともに前記庫内温度判定手段の設定温度を下げる（例えば−２２℃）制御とすることで冷蔵庫庫内の温度上昇を抑え食品に悪影響を与えない制御にすることができる。
【００３３】
（実施の形態４）
図９は、本発明の実施の形態４による冷蔵庫の霜取り制御装置のブロック図である。図１０は、本発明の実施の形態４における冷蔵庫の霜取り制御装置のフローチャートである。
【００３４】
図９において、ドア開閉検知器２５は冷凍室ドア４の開閉を感知するものであり、第１ドア開閉検知手段２６はドア開閉検知器２５が感知した開閉をカウントするものであり、ドア開閉判定手段２７は第１ドア開閉検知手段２６がカウントした開閉回数が設定回数以上（例えば１回）であるかを判定するものであり、庫内温度判定手段の第２温度設定２８は庫内温度判定手段１４の温度設定を下げる（例えば−２４℃）ものである。
【００３５】
以上にように構成された冷蔵庫の霜取り制御装置について、以下その動作、作用を説明する。
【００３６】
ステップ１とステップ２は従来通りである。次にステップ４０１でドア開閉検知器２５が検知した開閉を第１ドア開閉検知手段２６がカウントしステップ３に進む。ステップ３からステップ１０６までは実施の形態３の通りで、次のステップ４０２のドア開閉判定手段２７でドア開閉があるかどうかを判定し、開閉がなければステップ３０１に進み庫内温度判定手段１３の設定温度を下げて（例えば−２０℃）ステップ１に戻る。開閉があればステップ４０３に進み、庫内温度判定手段１３の設定温度をさらに下げて（例えば−２４℃）ステップ１に戻る。
【００３７】
以上のように、本実施の形態においては、前記霜取りヒータの通電時間をカウントする前記通電時間カウンタの時間が設定時間以下と判断し、かつ、前記停止時間判定手段が前記停止カウンタの時間が設定時間（例えば１時間）以下でありまた霜取り制御前のコンプレッサ運転中にドア開閉があると判断すれば、冷却システムの劣化や冷媒の漏れ等が発生し冷却性能がさらに落ちていると判断し、前記庫内温度判定手段の設定温度を下げる（例えば−２４℃）制御とすることで冷蔵庫庫内の温度上昇を抑え食品に悪影響を与えない制御にすることができる。
【００３８】
（実施の形態５）
図１１は、本発明の実施の形態５による冷蔵庫の霜取り制御装置のブロック図である。図１２は、本発明の実施の形態５における冷蔵庫の霜取り制御装置のフローチャートである。
【００３９】
図１１において、第２ドア開閉検知手段２９はドア開閉検知器２５が感知したドア開閉を検知すると共にドア開放時間を積算するものであり、ドア開放時間判定手段３０は第２ドア開閉検知手段２９がカウントしたドア開放時間が設定時間（例えば２時間）以上かどうかを判定するものである。
【００４０】
以上にように構成された冷蔵庫の霜取り制御装置について、以下その動作、作用を説明する。
【００４１】
ステップ１とステップ２は従来通りである。次にステップ５０１でドア開閉検知器２５が検知した開閉から第２ドア開閉検知手段２９がドア開放時間を積算しステップ３に進む。ステップ３からステップ１０６までは実施の形態３の通りで、次のステップ５０２のドア開放時間判定手段３０でドア開放時間が設定時間以上（例えば２時間）あるかどうかを判定し、設定時間以下であればステップ３０１に進み庫内温度判定手段１３の設定温度を下げて（例えば−２０℃）ステップ１に戻る。設定時間以上であればステップ４０３に進み、庫内温度判定手段１３の設定温度をさらに下げて（例えば−２４℃）ステップ１に戻る。
【００４２】
以上のように、本実施の形態においては、前記霜取りヒータの通電時間をカウントする前記通電時間カウンタの時間が設定時間以下と判断し、かつ、前記停止時間判定手段が前記停止カウンタの時間が設定時間（例えば１時間）以下でありまた霜取り制御前のコンプレッサ運転中にドア開放が設定時間以上あると判断すれば、冷却システムの劣化や冷媒の漏れ等が発生し冷却性能がさらに落ちていると判断し、前記庫内温度判定手段の設定温度を下げる（例えば−２４℃）制御とすることで冷蔵庫庫内の温度上昇を抑え食品に悪影響を与えない制御にすることができる。
【００４３】
（実施の形態６）
図１３は、本発明の実施の形態６による冷蔵庫の霜取り制御装置のブロック図である。図１４は、本発明の実施の形態６における冷蔵庫の霜取り制御装置のフローチャートである。
【００４４】
図１３において、外気温度検知器３１は冷蔵庫１の天面にあり外気温度を感知するものであり、外気温度検知手段３２は外気温度検知器３１が感知した温度を検知するものであり、外気温度判定手段３３は、外気温度検知手段３１の温度が設定温度（例えば２５℃）以上かどうか判定するものである。
【００４５】
以上にように構成された冷蔵庫の霜取り制御装置について、以下その動作、作用を説明する。
【００４６】
まず、ステップ１からステップ１０６までは実施の形態１の通りで、次のステップ６０１の外気温度判定手段３３で外気温度検知手段３２が設定温度以上（例えば２５℃）であるかを判定し、設定温度以下であればステップ３０１に進み庫内温度判定手段１３の設定温度を下げて（例えば−２２℃）ステップ１に戻る。設定時間以上であればステップ４０３に進み、庫内温度判定手段１３の設定温度をさらに下げて（例えば−２４℃）ステップ１に戻る。また、ステップ１０４で設定時間以上の時とステップ１０５で設定時間以上の時はステップ１０７に進み温度判定手段１８の設定温度を維持し（例えば１０℃）、次のステップス３０２で庫内温度判定手段１４の設定温度を維持し（例えば−２０℃）ステップ１に戻る。
【００４７】
以上のように、本実施の形態においては、前記霜取りヒータの通電時間をカウントする前記通電時間カウンタの時間が設定時間以下と判断し、かつ、前記停止時間判定手段が前記停止カウンタの時間が設定時間（例えば１時間）以下でありまた外気温度が設定温度以上あると判断すれば、冷却システムの劣化や冷媒の漏れ等が発生し冷却性能がさらに落ちていると判断し、前記庫内温度判定手段の設定温度を下げる（例えば−２４℃）制御とすることで冷蔵庫庫内の温度上昇を抑え食品に悪影響を与えない制御にすることができる。
【００４８】
（実施の形態７）
図１５は、本発明の実施の形態７による冷蔵庫の霜取り制御装置のブロック図である。図１６は、本発明の実施の形態７における冷蔵庫の霜取り制御装置のフローチャートである。
【００４９】
図１５において、霜取り短時間カウンタ３４は通電時間カウンタ２０の霜取りヒータの通電時間が短ければカウントするものであり、霜取り短時間カウンタ判定手段３５は霜取り短時間カウンタ３４のカウントが設定回数（例えば２回）以上かどうか判定するものである。
【００５０】
以上にように構成された冷蔵庫の霜取り制御装置について、以下その動作、作用を説明する。
【００５１】
まず、ステップ１からステップ１０６までは実施の形態６の通りで、次のステップ７０１で霜取り短時間カウンタ３４がカウントしステップ７０２に進む。ステップ７０２で霜取り短時間カウンタ判定手段３５が霜取り短時間カウンタ３４がカウントした回数が設定回数以上（例えば２回）であるかを判定し、設定回数以下であればステップ３０１に進み庫内温度判定手段１３の設定温度を下げて（例えば−２２℃）ステップ１に戻る。設定時間以上であればステップ４０３に進み、庫内温度判定手段１３の設定温度をさらに下げて（例えば−２４℃）ステップ１に戻る。また、ステップ１０４で設定時間以上の時とステップ１０５で設定時間以上の時はステップ１０７に進み温度判定手段１８の設定温度を維持し（例えば１０℃）、次のステップス３０２で庫内温度判定手段１４の設定温度を維持し（例えば−２０℃）ステップ１に戻る。
【００５２】
以上のように、本実施の形態においては、前記霜取りヒータの通電時間をカウントする前記通電時間カウンタの時間が設定時間以下と判断し、かつ、前記停止時間判定手段が前記停止カウンタの時間が設定時間（例えば１時間）以下でありまた２回の冷凍サイクル後でも冷却器への霜の付着がないこと、冷却システムの劣化や冷媒の漏れ等が発生し冷却性能がさらに落ちていると判断し、前記庫内温度判定手段の設定温度を下げる（例えば−２４℃）制御とすることで冷蔵庫庫内の温度上昇を抑え食品に悪影響を与えない制御にすることができる。
【産業上の利用可能性】
【００５３】
以上のように、本発明にかかる冷蔵庫の霜取り制御装置は、冷蔵庫庫内の温度上昇を抑え食品に悪影響を与えない制御にすることができるので、冷蔵庫に限らず同様の霜取り装置を備えた冷却機器に適用できる。
【図面の簡単な説明】
【００５４】
【図１】本発明の実施の形態１における冷蔵庫の霜取り制御装置のブロック図
【図２】本発明の実施の形態１における冷蔵庫の霜取り制御装置のフローチャート
【図３】従来の冷蔵庫の霜取り制御装置のブロック図
【図４】従来の冷蔵庫の霜取り制御装置のフローチャート
【図５】本発明の実施の形態２における冷蔵庫の霜取り制御装置のブロック図
【図６】本発明の実施の形態２における冷蔵庫の霜取り制御装置のフローチャート
【図７】本発明の実施の形態３における冷蔵庫の霜取り制御装置のブロック図
【図８】本発明の実施の形態３における冷蔵庫の霜取り制御装置のフローチャート
【図９】本発明の実施の形態４における冷蔵庫の霜取り制御装置のブロック図
【図１０】本発明の実施の形態４における冷蔵庫の霜取り制御装置のフローチャート
【図１１】本発明の実施の形態５における冷蔵庫の霜取り制御装置のブロック図
【図１２】本発明の実施の形態５における冷蔵庫の霜取り制御装置のフローチャート
【図１３】本発明の実施の形態６における冷蔵庫の霜取り制御装置のブロック図
【図１４】本発明の実施の形態６における冷蔵庫の霜取り制御装置のフローチャート
【図１５】本発明の実施の形態７における冷蔵庫の霜取り制御装置のブロック図
【図１６】本発明の実施の形態７における冷蔵庫の霜取り制御装置のフローチャート
【符号の説明】
【００５５】
６    コンプレッサ
８    霜取りヒータ
１１  コンプレッサ運転手段
１２  運転タイマ
１３  庫内温度検知手段
１４  庫内温度判定手段
１５  コンプレッサ動作時間判定手段
１６  霜取りヒータ駆動手段
１７  冷却器温度検知手段
１８  温度判定手段
１９  停止カウンタ
２１  通電時間判定手段
２０  通電時間カウンタ
２２  停止時間判定手段
２６  第１ドア開閉検知手段
２７  ドア開閉判定手段
２９  第２ドア開閉検知手段
３０  ドア開放時間判定手段
３２  外気温度検知手段
３３  外気温度判定手段
３４  霜取り短時間カウンタ
３５  霜取り短時間カウンタ判定
【図１】
2006329551.tif 000003
【図２】
2006329551.tif 000004
【図３】
2006329551.tif 000005
【図４】
2006329551.tif 000006
【図５】
2006329551.tif 000007
【図６】
2006329551.tif 000008
【図７】
2006329551.tif 000009
【図８】
2006329551.tif 000010
【図９】
2006329551.tif 000011
【図１０】
2006329551.tif 000012
【図１１】
2006329551.tif 000013
【図１２】
2006329551.tif 000014
【図１３】
2006329551.tif 000015
【図１４】
2006329551.tif 000016
【図１５】
2006329551.tif 000017
【図１６】
2006329551.tif 000018